(57)【要約】【課題】  着用している服装にかかわらず装着の自由度があるとともに、容易にウォーキングの効果が測定できるように出し入れ自在なメジャーを備えて、メタボリック症候群の予防と改善に効果の高いメジャー付き歩数計を提供することを目的とする。【解決手段】  歩数計に、巻き取り自在にメジャーを設けたので、性別や、スーツやトレーニングウェアなど着用している服装にかかわらず装着の自由度を高めたとともに、装着時であっても容易にメジャーを引き出して胴囲を測定することでウォーキングの効果を確認することが可能となった。また、該メジャーの目盛りの８５ｃｍ位置と、９０ｃｍ位置にインジケータを設けたので、男性であれば８５ｃｍ位置、女性であれば９０ｃｍ位置のインジケータを超すことがないようにウォーキングを続ければ、健康増進や維持、メタボリック症候群の予防や改善に極めて有効なものである。【選択図】図２
0003140735.tif 000002
【実用新案登録請求の範囲】
【請求項１】
歩数計に、巻き取り自在にメジャーを設けたことを特徴とするメジャー付き歩数計。
【請求項２】
該メジャーの目盛りの８５ｃｍ位置と、９０ｃｍ位置にインジケータを設けたことを特徴とする請求項１に記載のメジャー付き歩数計。
【請求項３】
該メジャーの表面及び裏面の地色を、異なる色として構成したことを特徴とする請求項乃び２に記載のメジャー付き歩数計。
【請求項４】
該メジャーの表面及び裏面の目盛りを、異なる色として構成したことを特徴とする請求項１乃至３に記載のメジャー付き歩数計。
【請求項５】
該メジャーの目盛りに、健康であることを示す範囲、要注意であることを示す範囲、危険であることを示す範囲をそれぞれ異なる色で示して構成したことを特徴とする請求項１乃至４に記載のメジャー付き歩数計。
【考案の詳細な説明】
【技術分野】
【０００１】  本考案は、メジャー付きの歩数計に関し、特にメジャーにメタボリック症候群の基準胴囲であることを解りやすく表示したメジャー付き歩数計に関する。
【背景技術】
【０００２】  昨今、健康増進の意識向上にともない、バランスの良い食生活や、適度な運動と適正な生活リズムを心がけることが広く浸透してきている。また近年、メタボリック症候群なる、内臓に脂肪が蓄積した肥満に、高血糖症、高血圧症、高脂血症のうち２つ以上を合併した状態が、動脈硬化による心臓病発症のリスクが極めて高くなることが注目されている。健康増進や維持、メタボリック症候群の予防や改善のためには、前記したように日常からバランスの良い食生活と、適度な運動と適正な生活リズムを心がけることが大切である。適度な運動のなかでもウォーキングは、日常手軽に行えることからよく行われており、心肺機能や筋力の向上、内臓脂肪の燃焼といった効果も立証されたものであり、メタボリック症候群の予防と改善には極めて効果が高く有効なものである。【０００３】  そこで、ウォーキングを行う場合、一日の歩数や時間の目標値を決めておこなうが、その管理には歩数計がよく用いられる。一般的な公知の歩数計は腰のベルトに取り付けて使用者の歩数をカウントし、表示部に数値で表すものがよく知られており、使用者の一歩あたりの歩幅の長さを歩数計に設定することで歩行距離の表示や、速度、消費カロリー、時計、脈拍などを表示するものもよく知られている。【０００４】  一般的な歩数計として実開昭６３−１３０８６３号公報を特許文献１として示す。この歩数計は、歩数、距離、速度などを表示する一般的なもので、身体への取付手段をクリップ状としているので、着用している服装にかかわらず装着できるという自由度がある。また、歩数計とベルトを組み合わせて、胴囲を測定する機能を有するものとして、次に示す特許文献２から４が挙げられる。特許文献２の特開平１０−２２７６２９号公報「エンコーダ付きベルト」においては、ベルトにエンコーダのスケールを組み込み、バックルにエンコーダの検出手段を設けてベルト部をバックルに係合させることで着用者の胴囲寸法をバックルに設けられた表示手段にデジタル表示させるようにしたことが開示されている。そしてこの発明の請求項３及び４には、バックルに胴囲寸法の管理上限値および管理下限値のうち少なくとも一方が前記胴囲寸法とともに表示されることと、管理上限値あるいは管理下限値を超した場合の警報手段を設けたことが開示されており、請求項５には、これらのエンコーダ付きベルトのバックルに歩数計が設けられ、表示手段に歩数と胴囲寸法が表示されることが開示されている。さらに、特許文献３の特開２００１−３３３８０４号公報「被服用ベルト」においては、その請求項３に、ベルトに目盛を設けたことが開示され、請求項４には、バックルに、歩数計や歩行距離計等の計測器を付設したことが開示されている。さらにまた、特許文献４の実開平６−２２３２３号公報「万能ベルト」においては、バックルに歩数計と巻取り可能に目盛り付きのベルトを設けたことが開示されている。【０００５】
【特許文献１】  実開昭６３−１３０８６３号公報
【特許文献２】  特開平１０−２２７６２９号公報
【特許文献３】  特開２００１−３３３８０４号公報
【特許文献４】  実開平６−２２３２３号公報
【考案の開示】
【考案が解決しようとする課題】
【０００６】  ところで、従来例の特許文献１に示す歩数計は、歩数、距離、速度などを表示する一般的なもので、身体への取付手段をクリップ状としているので、着用している服装にかかわらず装着の自由度がある。他方、特許文献２から４に開示されたベルトと歩数計を組み合わせたものにおいては、ベルトに目盛りを設けたり、電子的な機構により胴囲を測定して、ウォーキングの効果を確認することができるものであるが、実際の製品化にあっては、ＴＰＯ、すなわち時と場所、場合に応じた服装に合ったデザインのバリエーションを多品種用意しないと、ファッション性も重要視する咋今にあっては使用者の購入欲に繋がらず、製造者にとっては多大な負担を強いられるものであるといった課題がある。また、一人の使用者を仮定して考えても、歩数計の性格上、平日、休日など日常の行動時は常に装着している必要があるため、着用している服装にかかわらず自然に装着できなければならないのでＴＰＯに応じて複数購入しなければならず極めて現実的ではない。【０００７】  そこで、本考案は上記した課題を考慮し、着用している服装にかかわらず装着の自由度があるとともに、容易にウォーキングの効果が測定できるように出し入れ自在なメジャーを備えて、メタボリック症候群の予防と改善に効果の高いメジャー付き歩数計を提供することを目的とする。
【課題を解決するための手段】
【０００８】  歩数計に、巻き取り自在にメジャーを設けたことで解決される。【０００９】  また、該メジャーの目盛りの８５ｃｍ位置と、９０ｃｍ位置にインジケータを設けたことで解決される。【００１０】  さらに、該メジャーの表面及び裏面の地色を、異なる色としたことで解決される。【００１１】  さらにまた、該メジャーの表面及び裏面の目盛りを、異なる色としたことで解決される。【００１２】  そのほかに、該メジャーの目盛りに、健康であることを示す範囲、要注意であることを示す範囲、危険であることを示す範囲をそれぞれ異なる色で示したことで解決される。
【考案の効果】
【００１３】  歩数計に、巻き取り自在にメジャーを設けたので、性別や、スーツやトレーニングウェアなど着用している服装にかかわらず装着の自由度を高めたとともに、装着時であっても容易にメジャーを引き出して胴囲を測定することでウォーキングの効果を確認することが可能となった。【００１４】  また、該メジャーの目盛りの８５ｃｍ位置と、９０ｃｍ位置にインジケータを設けたので、男性であれば８５ｃｍ位置、女性であれば９０ｃｍ位置のインジケータを超すことがないようにウォーキングを続ければ、健康増進や維持、メタボリック症候群の予防や改善に極めて有効なものである。【００１５】  さらに、該メジャーの表面及び裏面の地色や目盛りの色を異なる色として、性別により色分けすることで一本のメジャーで、極めて解りやすく男女で異なるメタボリック症候群の胴囲測定が可能となった。【００１６】  さらにまた、該メジャーの目盛りに、健康であることを示す範囲、要注意であることを示す範囲、危険であることを示す範囲をそれぞれ異なる色で示したことで、使用者のメタボリック症候群の基準値に対しての胴囲の度合いが一目で明確に確認することが可能となり、健康増進や維持、メタボリック症候群の予防や改善に極めて高い効果を奏するメジャー付き歩数計を提供することが可能となったものである。
【考案を実施するための最良の形態】
【００１７】  次に、本考案のメジャー付き歩数計について、図面を参照して詳細に説明する。図１は、本考案の全体図であり、（１）は本考案のメジャー付き歩数計の本体、（２）は歩数、歩行距離、時計などを表す表示部、（２ａ）は歩数計の使用者の歩幅の入力や、時計の修正などを行う設定ボタン、（３）は本体（１）に巻き取り自在に備えたれたメジャー、（４）は引き出されたメジャー（３）を巻き取り収納する場合の解除ボタン、（５）は本体（１）をズボンのベルトや縁に装着するためのクリップである。なお、本体（１）に巻き取り自在に備えられたメジャー（３）の引き出しと巻き取りの構造については公知の構造を採用しているので特に説明をしない。【００１８】  本考案の第１の実施例は、本体（１）に、巻き取り自在にメジャー（３）を設けたので、着用している服装にかかわらず装着の自由度が向上したとともに、本体（１）をズボンなどに装着した状態、あるいは取り外した状態、また、性別や、スーツやトレーニングウェアなどにかかわらずメジャー（３）の先端に設けたリング（３ａ）を指で摘んでメジャー（３）引き出し胴囲測定することでウォーキングの効果を確認することが可能となった。【００１９】  本考案の第２の実施例においては、図２に示されるように、メジャー（３）の目盛りに、メタボリック症候群の内臓脂肪の蓄積を示す基準値である男性の８５ｃｍ、女性であれば９０ｃｍの位置にインジケータ（３ｂ）を設けたので、胴囲を測定する際に容易に目視確認が可能となり、測定した胴囲がインジケータ（３ｂ）からどれだけ近いか遠いかで感覚的にウォーキングの効果を確認・認識することが可能であり、インジケータ（３ｂ）を超すことがないように日々ウォーキングを続ければ、健康増進や維持、メタボリック症候群の予防や改善に極めて有効なものである。【００２０】  本考案の第３の実施例においては、図示しないがメジャー（３）の表面及び裏面の地色を異なるものとして構成した。これにより例えば表側の地色を男性用のブルー系の色として目盛りやインジケータ（３ｂ）を設け、裏側の地色を女性用のピンク系の色として目盛りやインジケータ（３ｂ）を設けることで、より明確に確認と認識をすることが可能となる。【００２１】  本考案の第４の実施例においては、図示しないがメジャー（３）の表面及び裏面の目盛りの色を第３の実施例同様に異なる色とすることで、より明確に確認と認識をすることが可能となる。【００２２】  本考案の第５の実施例においては、図３に示すように該メジャーの目盛りに、健康であることを示す範囲（３ｃ）、要注意であることを示す範囲（３ｄ）、危険であることを示す範囲（３ｅ）をそれぞれ異なる色で示して構成した。これにより、使用者のメタボリック症候群の基準値に対しての胴囲の度合いが一目で明確に確認することが可能となり、健康増進や維持、メタボリック症候群の予防や改善に極めて高い効果を奏するメジャー付き歩数計を提供することが可能となったものである。
【図面の簡単な説明】
【００２３】
【図１】本考案の全体図である。
【図２】本考案の第２の実施例を示す図である。
【図３】本考案の第５の実施例を示す図である。
【符号の説明】
【００２４】１          本体
２          表示部
２ａ        設定ボタン
３          メジャー
３ａ        リング
３ｂ        インジケータ
３ｃ        健康であることを示す範囲
３ｄ        要注意であることを示す範囲
３ｅ        危険であることを示す範囲
４          解除ボタン
５          クリップ
【図１】
0003140735.tif 000003
【図２】
0003140735.tif 000004
【図３】
0003140735.tif 000005